(57)【要約】【課題】予約洗濯開始前に、粉末状又は粒子状の洗剤が洗濯兼脱水槽内に落下する事のない洗濯機を提供する。【解決手段】予約した時刻に洗濯動作を開始又は終了する洗濯機において、予約洗濯時に予め粉末状又は粒子状の洗剤を収容しておく予約洗剤ケース１６を設け、予約洗濯開始時に水が予約洗剤ケース１６に流れ込む構成とし、予約洗剤ケース１６の底部に残水排出用の孔部２５を設け、かつ孔部２５の近傍には、洗剤を堰き止めるとともに、水を流出可能とした堰部２６を設けたもので、洗剤がマイクロ粒子化しても、予約洗濯設定時に予約洗剤ケース１６に載せた洗剤が堰部２６で堰き止められるので給水される前に流出することがなく、また洗濯終了時に孔部２５から予約洗剤ケース１６上の残水を排水することができる。【選択図】図１
2006043027.tif 000002
【特許請求の範囲】
【請求項１】
予約した時刻に洗濯動作を開始又は終了する洗濯機において、予約洗濯時に予め粉末状又は粒子状の洗剤を収容しておく予約洗剤ケースを設け、予約洗濯開始時に水が前記予約洗剤ケースに流れ込む構成とし、前記予約洗剤ケースの底部に残水排出用の孔部を設け、かつ前記孔部の近傍には、前記洗剤を堰き止めるとともに、前記水を流出可能とした堰部を設けた洗濯機。
【請求項２】
予約洗剤ケースを略凹状に形成し、その裏側に、孔部から出た水を前方に案内する案内部を設け、堰部は前記案内部上で前記孔部の前方近傍に設けた請求項１記載の洗濯機。
【請求項３】
堰部の少なくとも片側から水が流出するようにした請求項２記載の洗濯機。
【請求項４】
案内部には、堰部から流出した水を前方へ屈曲案内する規制部を設けた請求項２又は３に記載の洗濯機。
【発明の詳細な説明】
【技術分野】
【０００１】
本発明は洗濯機に関するもので、特に予約洗濯用に洗剤を収納する予約洗剤ケース付きの洗濯機に関するものである。
【背景技術】
【０００２】
従来の、この種の洗濯機について、図４〜７を用いて説明する。
【０００３】
図において、水受け槽１は、底部にパルセータ２を回転自在に配設した洗濯兼脱水槽３を内包し、吊り棒４によって外枠５に吊り下げられている。外枠５の上部に外装体６を装着し、外装体６の略中央部に形成された布投入口７は蓋８で覆われている。また、外装体６の後部に電磁給水弁９と注水装置１０を装着している。注水装置１０は、この注水装置１０に回動自在に設けた予約洗剤ケース１１と外装体６で構成しており、洗濯兼脱水槽３内に注水するものである。
【０００４】
上記構成において、洗濯行程で、洗剤を洗濯兼脱水槽３に直接投入する場合は、予約洗剤ケース１１は閉めた状態で使用され、予約洗剤ケース１１の下端部分が流出口１２となり、この流出口１２より水を流出させ、洗濯兼脱水槽３内に給水する。
【０００５】
また、予約洗濯をする場合は、図５の一点鎖線で示されるように、予約洗剤ケース１１を倒して、その上に洗剤を予め載せておく。予約洗濯が開始し、給水を始めると、水は予約洗剤ケース１１上を通過し、洗剤を水の勢いで水と一緒に洗濯兼脱水槽３に投入する。いずれの場合も所定の水位に達するとパルセータ２を駆動して洗濯する。
【０００６】
また、前記予約洗剤ケース１１は洗剤を受けるため、略凹状の形状１３をしている。給水が終了した後残水しないように、予約洗剤ケース１１の底部に残水排出用の孔部１４が設けられている。さらに孔部１４の裏面には孔部１４から出た水を前方に案内する案内リブ１５を流出方向に沿って設けていた（例えば、特許文献１参照）。
【特許文献１】特開平１０−１４６４９３号公報
【発明の開示】
【発明が解決しようとする課題】
【０００７】
しかしながら、このような従来の洗濯機の注水装置１０では、最近の粉末洗剤のマイクロ粒子化により、予約洗剤ケース１１の底部に設けた残水排出用の孔部１４から洗剤が流出し、予約洗濯時に洗剤が長時間衣類に触れるため衣類の色があせたり、生地が傷んだりするという課題があった。
【０００８】
さらに洗濯兼脱水槽３や衣類が濡れていた場合、流出した洗剤が長時間放置されることにより洗剤が湿気を含み、衣類に固着するなどの課題があった。
【０００９】
本発明は、上記従来の課題を解決するもので、予約洗濯開始前に、予約洗剤ケースに載せたマイクロ粒子洗剤が流出するのを防止し、予約洗濯開始時には、洗剤と共に水の流出を許す使い勝手の良い洗濯機を提供することを目的としている。
【課題を解決するための手段】
【００１０】
前記従来の課題を解決するために、本発明の洗濯機は、予約した時刻に洗濯動作を開始又は終了する洗濯機において、予約洗濯時に予め粉末状又は粒子状の洗剤を収容しておく予約洗剤ケースを設け、予約洗濯開始時に水が前記予約洗剤ケースに流れ込む構成とし、前記予約洗剤ケースの底部に残水排出用の孔部を設け、かつ前記孔部の近傍には、前記洗剤を堰き止めるとともに、前記水を流出可能とした堰部を設けたもので、洗剤がマイクロ粒子化しても、予約洗濯時に予約洗剤ケースに載せた洗剤が堰部で堰き止められ給水される前に流出することがなく、また洗濯終了時においては、予約洗剤ケース上の残水を孔部から排水することができる。
【発明の効果】
【００１１】
本発明の洗濯機は、マイクロ粒子の洗剤においても、予め予約洗剤ケースに載せた洗剤が予約洗濯開始前に流出することがなく、さらに洗濯終了時に予約洗剤ケース上に水が残ることを防止できるので、予約洗濯時に洗剤が長時間衣類に触れるため衣類の色があせたり、生地が傷んだりすることを防止することができ、使い勝手の良い洗濯機を提供することができる。
【発明を実施するための最良の形態】
【００１２】
第１の発明は、予約した時刻に洗濯動作を開始又は終了する洗濯機において、予約洗濯時に予め粉末状又は粒子状の洗剤を収容しておく予約洗剤ケースを設け、予約洗濯開始時に水が前記予約洗剤ケースに流れ込む構成とし、前記予約洗剤ケースの底部に残水排出用の孔部を設け、かつ前記孔部の近傍には、前記洗剤を堰き止めるとともに、前記水を流出可能とした堰部を設けたもので、洗剤がマイクロ粒子化しても、予約洗濯時に予約洗剤ケースに載せた洗剤が堰部で堰き止められ給水される前に流出することがなく、また洗濯終了時に予約洗剤ケース上の残水を孔部から排水することができるので、予約洗濯時に洗剤が長時間衣類に触れるため衣類の色があせたり、生地が傷んだりすることを防止することができ、また、洗濯終了時に予約洗剤ケース上に水が残るといった不具合を防止することができる。
【００１３】
第２の発明は、特に、第１の発明の予約洗剤ケースを略凹状に形成し、その裏側に、孔部から出た水を前方に案内する案内部を設け、堰部は前記案内部上で前記孔部の前方近傍に設けたもので、洗剤がマイクロ粒子化しても給水前にそれが洗濯兼脱水槽内に流出するのを防止することができる。
【００１４】
第３の発明は、特に、第２の発明の堰部の少なくとも片側から水が流出するようにしたもので、洗濯終了時に予約洗剤ケース上の残水を排水することができる。
【００１５】
第４の発明は、特に、第２または第３の発明の案内部には、堰部から流出した水を前方へ屈曲案内する規制部を設けたもので、洗濯終了時に予約洗剤ケース上の残水を見栄えよく下方に排水することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における洗濯機の要部断面図、図２は、同洗濯機の注水装置の分解斜視図、図３は、同注水装置の予約洗剤ケースの３面図である。なお、従来例と同一部分については同一符号を付してその説明を省略する。
【００１８】
図において、注水装置１７は、開閉自在で、粉末状又は粒子状の洗剤を収納する予約洗剤ケース１６を有し、流出口１８より洗濯兼脱水槽３内に注水するもので、前面開口の給水ケース１９を設けている。給水ケース１９の後部には流入口２０を形成している。
【００１９】
予約洗剤ケース１６は、給水ケース１９の前面下部に設けた略円筒形の凸部２１に予約洗剤ケース１６に設けたＣ字状の嵌合部２２を嵌め合わせて回動可能に取り付けられ、その回動支点と反対側の予約洗剤ケース１６の上部には外装体６に引っ掛け可能とする爪部２３を設け、予約洗剤ケース１６を閉じた状態で保持できるようにしている。外装体６の後部に装着した電磁給水弁９と流入口２０とを流入ホース３１で連結している。
【００２０】
上記構成において、洗濯行程やすすぎ行程では、水は水道より給水ホース（図示せず）を介して電磁給水弁９に入り、流入ホース３１と流入口２０を通り、給水ケース１９に至り、流出口１８より洗濯兼脱水槽３に注水される。
【００２１】
また、予約洗濯時は、流出口１８から流れた水は、倒された予約洗剤ケース１６上を通過し、予約洗剤ケース１６上の洗剤（図示せず）を押し流しながら洗濯兼脱水槽３に注水される。
【００２２】
この予約洗濯時における倒された状態での予約洗剤ケース１６は、その底部２４に残水排出用の孔部２５が設けられている。この孔部２５の近傍には、予約洗濯設定時に投入された洗剤は堰き止め、流出するのを防止できるとともに、洗濯開始時に水が注入されると、その水は孔部２５を通り流出可能とした堰部２６を設けている。
【００２３】
この予約洗剤ケース１６の構成を詳細に説明する。
【００２４】
予約洗剤ケース１６は、予約洗濯設定時に投入された洗剤を保持するため、略凹状の略凹状部２８を有し、その裏面側には孔部２５から出た水を前方に案内する断面が略Ｌ字状の案内部２７を設けている。
【００２５】
予約洗剤ケース１６の案内部２７には、孔部２５の前方側の近傍に孔部２５の幅と同等か、もしくはそれ以上の幅を有する堰部２６を設けている。堰部２６は案内部２７から上方に向かって延び予約洗剤ケース１６の裏面に接続している。さらに、案内部２７の側端部には堰部２６の端部と所定の間隔を有して規制部２９を設けている。
【００２６】
このような構成において、予約洗濯設定時に予約洗剤ケース１６の略凹状部２８に投入された洗剤は、その一部が孔部２５を通って案内部２７上に落下する。このとき、その落下した洗剤は、堰部２６により堰き止められるので、案内部２７をつたって洗濯兼脱水槽３内に落下することはない。また、その後、洗濯開始時には水が予約洗剤ケース１６上を通り、予約洗剤ケース１６上に投入されている洗剤を洗濯兼脱水槽３内に押し出すとともに、洗濯兼脱水槽３内に注水される。その後、給水が終了すると、予約洗剤ケース１６の略凹状部２８上に残った水は、矢印３０で示すように、孔部２５から流出し、一旦堰部２６に当たる。堰部２６に当たった水は９０度方向を変え、堰部２６の端部から流れ、さらに規制部２９によって、前方へ案内される。
【００２７】
以上のように、本実施の形態によれば、予約洗濯用に、予約洗剤ケース１６を倒して、洗剤を載せた状態では、洗剤は堰部２６によって堰き止められ外部に流出する事が無い。そして、洗濯予約された時刻になって、水が流出口１８から流出すると、略凹状部２８状の洗剤を水で押し流すと共に、一部の水が孔部２５に流入し、そこに残留していた洗剤と共に、堰部２６の両側を通り案内部２７に沿って洗濯兼脱水槽３に流出するものである。
【００２８】
また、予約洗剤ケース１６を略凹状に形成し、その裏側に、孔部２５から出た水を前方に案内する案内部２７を設け、予約洗剤ケース１６と案内部２７の少なくとも一方に堰部２６を設けるようにしたので、洗剤の収納、堰部２６の形成が容易で、しかも、洗剤が給水前に洗濯兼脱水槽３内に流出するのを防止することができる。
【００２９】
さらに、堰部２６の少なくとも片側から水が流出するようにしたので、洗濯終了時に予約洗剤ケース１６上の残水を確実に排水することができる。
【００３０】
また、予約洗剤ケース１６と案内部２７の少なくとも一方に、堰部２６から出た水を前方へ屈曲案内する規制部２９を設けたので、洗濯終了時に予約洗剤ケース１６上の残水を見栄えよく下方に排水することができるものである。
【産業上の利用可能性】
【００３１】
以上のように、本発明にかかる洗濯機は、マイクロ粒子化した洗剤においても、予約洗濯開始前に洗剤が洗濯兼脱水槽に落下することがなく、しかも、洗濯終了後に予約洗剤ケースに水が残る事が無く、非常に使い勝手の良いもので、洗濯やすすぎ時に水を給水する全自動洗濯機に限らず、運転予約機能を有し、運転開始時に粉末又は粒状の洗剤を供給する各種洗浄機、洗浄装置にも適用できるものである。
【図面の簡単な説明】
【００３２】
【図１】本発明の実施の形態１における洗濯機の要部断面図
【図２】同洗濯機の注水装置の分解斜視図
【図３】（ａ）同注水装置の予約洗剤ケースの平面図（ｂ）同注水装置の予約洗剤ケースの正面図（ｃ）同注水装置の予約洗剤ケースの断面図
【図４】従来の洗濯機の縦断面図
【図５】同洗濯機の要部断面図
【図６】同洗濯機の注水装置の分解斜視図
【図７】（ａ）同注水装置の予約洗剤ケースの平面図（ｂ）同注水装置の予約洗剤ケースの正面図（ｃ）同注水装置の予約洗剤ケースの断面図
【符号の説明】
【００３３】
１６  予約洗剤ケース
２５  孔部
２６  堰部
２７  案内部
２９  規制部
【図１】
2006043027.tif 000003
【図２】
2006043027.tif 000004
【図３】
2006043027.tif 000005
【図４】
2006043027.tif 000006
【図５】
2006043027.tif 000007
【図６】
2006043027.tif 000008
【図７】
2006043027.tif 000009